(57)【要約】【課題】顔面の皮膚を伸張させるのに使用する新規且つ有用な顔面皮膚皺伸張用クリップを得る。【解決手段】顔面皮膚伸張用のクリップであって、こめかみ部の髪への係止用の第１クリップと頭髪への係止用の第２クリップを含み、且つ、前記第１クリップと前記第２クリップが伸縮性弾性体により連結されてなることを特徴とする顔面皮膚伸張用クリップ。第１クリップ及び第２クリップの構成材料としては軽金属または硬質プラスチックを使用し、伸縮性弾性体としては細丸ゴム、細幅ゴムなどのゴムを使用する。【選択図】図５
2009060962.tif 000002
【特許請求の範囲】
【請求項１】
顔面皮膚伸張用のクリップであって、こめかみ部の髪への係止用の第１クリップと頭髪への係止用の第２クリップを含み、且つ、前記第１クリップと前記第２クリップが伸縮性弾性体により連結されてなることを特徴とする顔面皮膚伸張用クリップ。
【請求項２】
前記第１クリップ及び前記第２クリップの構成材料が軽金属または硬質プラスチックであることを特徴とする請求項１に記載の顔面皮膚伸張用クリップ。
【請求項３】
前記伸縮性弾性体の構成材料がゴムであることを特徴とする請求項１に記載の顔面皮膚伸張用クリップ。
【発明の詳細な説明】
【技術分野】
【０００１】
本発明は、顔面皮膚伸張用クリップに関し、より詳しくは顔面の皮膚を伸張させるのに使用する顔面皮膚伸張用クリップに関する。
【背景技術】
【０００２】
男女を問わず、歳を重ねるにつれて皮膚に弛みが生じ、やがて皺となって現れてくることになる。このような現象、事実は自然の摂理であるとは言え、特に年配のご婦人など、顔面の皮膚が弛んで顔面に皺が現れ、それが目立つようになると、美容上、何らかの対策を講じたくなるのは極く自然なことである。
【０００３】
その対策として、アンチエージングつまり高価なクリームを使用したり、顔面皮膚に生じた弛みや皺を指先の腹部で伸張させるマッサージをするなどの方法が採られている。このうち、マッサージは、具体的には、顔面皮膚の弛みや皺を生じた部分に指先の腹部を当てて“押し伸ばす”ことにより行うのが普通である。しかし、このように指先で“押し伸ばす”だけでは、指先の腹部を当てた局部の皮膚は伸張できても、伸張部に隣接して連なる他の部分の皮膚は逆に縮んで弛みや皺が生じることになるので、結局、顔面皮膚全体として伸張させることはできないことになる。
【０００４】
これに対して、顔面皮膚全体として伸張させる手法として、顔面皮膚全体の左端側、右端側、左右両端側、上端側、下端側、上下両端側、斜め端側、あるいは斜め両端側から引張ることが考えられる。しかし、いずれもその引張り力は指先の腹部で与えるほかはなく、その作業は現実には甚だやっかいで根気を要し、しかもその効果はなかなか現れない。
【０００５】
【特許文献１】特開２０００−２２９０１４
【発明の開示】
【発明が解決しようとする課題】
【０００６】
本発明は、顔面の皮膚伸張、皺伸ばしに係るそのような問題点を解決するためになされたものであり、顔面の皮膚を伸張させるのに使用する新規且つ有用な顔面皮膚皺伸張用クリップを提供することを目的とするものである。
【課題を解決するための手段】
【０００７】
本発明は、顔面皮膚伸張用のクリップであって、こめかみ部への係止用第１クリップと頭髪への係止用第２クリップを含み、且つ、前記第１クリップと前記第２クリップが伸縮性弾性体により連結されてなることを特徴とする顔面皮膚伸張用クリップである。
【発明の効果】
【０００８】
本発明に係る顔面皮膚伸張用のクリップによれば、こめかみ部への係止用第１クリップをこめかみ部への係止し、頭髪への係止用第２クリップを頭髪への係止しておくだけで、顔面皮膚を伸張させ、顔面皮膚の皺を解消することができる。また、本発明に係る顔面皮膚伸張用のクリップによれば、従来のような、指先の腹部を当てて局部の皮膚を伸張するといった、甚だやっかいで根気を要する作業が一切不要である。
【発明を実施するための最良の形態】
【０００９】
本発明は、顔面皮膚伸張用のクリップである。そして、こめかみ部の髪への係止用第１クリップと頭髪への係止用第２クリップを含み、且つ、前記第１クリップと前記第２クリップが伸縮性弾性体により連結されてなることを特徴とする。以下、本発明の態様を順次説明する。
【００１０】
〈本発明の態様例〉
図１〜５は本発明に係る顔面皮膚伸張用クリップの態様例を説明する図である。図１〜５中、１０はこめかみ部の髪への係止用第１クリップ、２０は頭髪への係止用第２クリップ、３０はこめかみ部の髪への係止用第１クリップ１０と頭髪への係止用第２クリップ２０を連結する伸縮性弾性体である。
【００１１】
図１（ａ）はこめかみ部への係止用第１クリップ１０と頭髪への係止用第２クリップ２０を側面図として示した図、図１（ｂ）はこめかみ部への係止用第１クリップ１０と頭髪への係止用第２クリップ２０を平面図として示した図である。
【００１２】
〈こめかみ部への係止用第１クリップ１０〉
こめかみ部への係止用第１クリップ１０は、両側一対のクリップ部材が支持軸１１に支持されている。当該一対のクリップ部材はともに、それぞれ把持部１３と挟み部分１４からなり、把持部１３と挟み部分１４との境界部位に一体に設けた腹部１５に支持軸１１を嵌挿する１対の孔１６を有しており、当該一対の孔１６間に支持軸１１を嵌挿することで支持されている。
【００１３】
また、当該一対のクリップ部材には板バネ１２が配置され、当該板バネ１２は、一対のクリップ部材が支持されている前記支持軸１１を外嵌状に拘持して、当該一対のクリップ１０の先端部寄りに設けられた凹陥部に、当該板バネ１２の先端部を当該板バネの圧縮力を保持した状態で咬止・圧着状に取り付けられており、当該板バネ１２による圧縮力により左右両挟み部分１４、１４の端部でこめかみ部の髪を挟むようになっている。挟み部分１４、１４の幅、すなわち図１（ａ）中“ａ”として示す幅は、こめかみ部の髪を挟み、これにより伸張しようとする顔面皮膚を引張る目的を達成し得る範囲であればよく、３〜８ｃｍ、例えば５ｃｍ前後というような幅とする。
【００１４】
その際、挟み部分１４、１４ではこめかみ部の髪を挟んで保持しておく必要があるため、挟み部分１４、１４の端部で挟持される髪は、少数の髪ではなく、まとまった多数の髪束を挟持する必要がある。このため、上記のように例えば５ｃｍ前後というような幅とする。また、挟み部分１４、１４のうち少なくとも髪挟持部面にゴムや軟質プラスチックなどの弾性膜で被覆しておくのが好ましく、これにより挟み部分１４、１４で挟持される髪の全部または大部分を顔面皮膚の引張りに関与させることができる。
【００１５】
こめかみ部への係止用第１クリップ１０の構成材料としては、アルミニウムまたはアルミニウム合金などの軽金属や硬質プラスチックを使用する。これらの材料は軽量であるため、取り扱いが容易であり、また顔面皮膚伸張用クリップとしての使用時において、使用者に不必要な重量感を与えることがなく、快適に使用することができる。
【００１６】
図２（ａ）は、図１中のこめかみ部への係止用第１クリップ１０を取り出して示した図、図２（ｂ）は、図２（ａ）中の当該一対のクリップ部材のうち片側のクリップ部材を取り出して示した図、図２（ｃ）は、図２（ａ）中の板バネ１２を取り出して示した図、図２（ｄ）は、図２（ｃ）の板バネ１２に代えてコイルバネを使用する態様を示した図である。
【００１７】
〈頭髪への係止用第２クリップ２０〉
頭髪への係止用第２クリップ２０は、両側一対のクリップ部材が支持軸２１に支持されている。当該一対のクリップ部材は共に、それぞれ把持部２３と挟み部分２４からなり、把持部２３と挟み部分２４との境界部に支持軸２１を嵌挿する１対の孔２５、２５を有している。当該一対のクリップ部材は、当該一対の孔２５、２５間に支持軸２１を嵌挿することで支持されている。
【００１８】
また、支持軸２１にはコイルバネ２２が嵌挿され、当該コイルバネ２２による拡張力により左右両挟み部分２４、２４の端部で頭髪を挟むようになっている。挟み部分２４、２４の幅、すなわち図１（ａ）中“ｂ”として示す幅は、頭髪を挟み、これにより伸縮性弾性体３０を介して、こめかみ部への係止用第１クリップ１０を引張り、顔面皮膚を引張る目的を達成し得る範囲であればよく、５〜１０ｃｍ、例えば７ｃｍ前後というような長さとする。これにより頭髪を挟んで固定し、伸縮性弾性体３０を介して、こめかみ部への係止用第１クリップ１０を引張るようにする。
【００１９】
また、頭髪が生えている頭部面は湾曲しているので、頭髪への係止用第２クリップ２０の挟み部分２４、２４はそれに対応して弓状に湾曲させ、いわゆる鶴口ばし形式にしておくのが好ましい。なお、頭部面の湾曲の程度は、側頭部、上頭部、後頭部あるいは、それら各頭部間の境界部などの部位により異なり、また個人差があるので、湾曲の程度が異なる各種製品を準備しておくなど、工夫すればよい。
【００２０】
挟み部分２４、２４では頭髪を挟んで保持しておく必要があるため、挟み部分２４、２４の端部で挟持される髪は、少数の髪ではなく、まとまった数の髪束を挟持する必要がある。このため、上記のように例えば７ｃｍ前後というような幅とするとともに、挟み部分２４、２４うち少なくとも髪挟持部面にゴム製などの弾性皮膜を配しておいてもよい。これにより挟み部分２４、２４で挟持される髪の全部または大部分を顔面皮膚の引張りに関与させることができる。
【００２１】
〈伸縮性弾性体３０〉
伸縮性弾性体３０は、こめかみ部の髪への係止用第１クリップ１０と頭髪への係止用第２クリップ２０を連結し、頭髪への係止された第２クリップ２０により、こめかみ部の髪に係止された第１クリップ１０を引張る役割をする。このため、伸縮性弾性体３０の一方の端はこめかみ部の髪への係止用第１クリップ１０に固定し、他方の端は頭髪への係止用第２クリップ２０に固定しておく。
【００２２】
その固定の仕方に限定はなく、こめかみ部への係止用第１クリップ１０に対しては、支持軸１１に固定してもよく、把持部１３に固定してもよい。また、頭髪への係止用第２クリップ２０に対しては、支持軸２１に固定してもよく、把持部２３に固定してもよい。伸縮性弾性体３０の構成材料としては細丸ゴム、細幅ゴムなどのゴムを使用するが、美観上などの観点からはいわゆる糸入りゴムであるのが好ましい。
【００２３】
伸縮性弾性体３０の長さについては、その役割、つまりこめかみ部の髪への係止用第１クリップ１０と頭髪への係止用第２クリップ２０を連結し、頭髪への係止された第２クリップ２０により、こめかみ部の髪に係止された第１クリップ１０を引張る役割を果たす範囲で、２〜７ｃｍ、例えば４ｃｍ前後というように、適宜設定することができる。
【００２４】
〈本発明の顔面皮膚伸張用クリップの使用態様〉
図４〜５は、図１〜３に示すような本発明に係る顔面皮膚伸張用クリップの使用態様を説明する図である。図４のとおり、こめかみ部への係止用第１クリップ１０の把持部１３、１３に指先で持って両側から力を加えて相対する挟み部分１４、１４を開き、図５に示すようにこめかみ部へ係止する。次に、図５に示すように頭髪への係止用第２クリップ２０の把持部２３、２３に指先で持って両側から力を加えて相対する挟み部分２４、２４を開き、図５に示すようにこめかみ部へ係止する。その係止に際して、伸縮性弾性体３０により、こめかみ部の髪を適度に引張るように係止する。
【００２５】
本発明に係る顔面皮膚伸張用クリップをこのようにセットした状態で、例えば１０分、２０分、あるいは３０分というように経過すると、こめかみ部への係止用第１クリップ１０の挟み部分１４、１４により顔面皮膚を伸張する。こうして、当該顔面皮膚伸張用クリップのセット前における弛みや皺を無くすることができる。
【００２６】
〈本発明の顔面皮膚伸張用クリップの各種態様〉
本発明の顔面皮膚伸張用クリップのこめかみ部の髪への係止用第１クリップは、各種変形態様で構成することができる。図６、７はそのら態様例を示す図で、文房具として知られる目玉クリップであるが、本発明のこめかみ部の髪への係止用第１クリップとして利用することができる。
【図面の簡単な説明】
【００２７】
【図１】本発明の態様例を説明する図
【図２】本発明の態様例を説明する図
【図３】本発明の態様例を説明する図
【図４】本発明の顔面皮膚伸張用クリップの使用態様を説明する図
【図５】本発明の顔面皮膚伸張用クリップの使用態様を説明する図
【図６】本発明の顔面皮膚伸張用クリップの各種態様を示す図
【図７】本発明の顔面皮膚伸張用クリップの各種態様を示す図
【符号の説明】
【００２８】
１０  こめかみ部の髪への係止用第１クリップ
１１  支持軸
１２  板バネ
１３  把持部
１４  挟み部分
１６  支持軸１１を嵌挿する１対の孔
２０  頭髪への係止用第２クリップ
２１  支持軸
２２  コイルバネ
２３  把持部
２４  挟み部分
２５  支持軸２１を嵌挿する１対の孔
３０  伸縮性弾性体
【図１】
2009060962.tif 000003
【図２】
2009060962.tif 000004
【図３】
2009060962.tif 000005
【図４】
2009060962.tif 000006
【図５】
2009060962.tif 000007
【図６】
2009060962.tif 000008
【図７】
2009060962.tif 000009